(57)【要約】【課題】  浄化帯の保持体として網部材を利用した汚水浄化装置の浄化効率の高い汚水散布構造を提供すること。【解決手段】  平面状の網部材からなる保持体の両面に多孔性物質の柱状体を貼り付けて構成した浄化帯の複数個を平行に配置して垂直に吊り下げ、上から見た保持体の形状が平行な直線群を形成するように配置した汚水浄化部と、該汚水浄化部の上方から汚水を散布する散布手段とを具備した汚水浄化装置において、前記散布手段は該浄化帯の保持体の上方並びに該保持体の外側上方に汚水を散布すると共に、前記保持体の外側上方に散布された汚水を前記浄化帯の上方の適宜の位置に寄せ集めるガイド手段を設けたことを特徴とする。  【選択図】  図１
2009274042.tif 000002
【特許請求の範囲】
【請求項１】
平面状の保持体の両面に多孔性物質の柱状体を接着して構成した浄化帯の複数個を平行に配置して垂直に吊り下げ、上から見た保持体の形状が平行な直線群を形成するようにした汚水浄化部と、該汚水浄化部の上方から汚水を散布する汚水散布手段とを具備した汚水浄化装置において、前記汚水散布手段は少なくとも該浄化帯の保持体の外側上方に汚水を散布すると共に、前記保持体の外側上方に散布された汚水を前記浄化帯の上方の適宜の位置に寄せ集めるガイド手段を設けたことを特徴とする汚水洗浄装置の汚水散布構造。
【請求項２】
前記汚水散布手段は、複数個のトラフを平行に配置してトラフ群を構成し、前記汚水浄化部の保持体のなす直線群の配置方向と交叉する方向に該トラフ群を配置し、該トラフの長手方向に複数個の汚水流出堰を設けたことを特徴とする請求項１に記載の汚水浄化装置の汚水散布構造。
【請求項３】
前記汚水散布手段は、前記汚水浄化部の保持体のなす直線群の配置方向と直交する方向に前記トラフ群を配置したことを特徴とする請求項１又は請求項２の何れか１に記載の汚水浄化装置の汚水散布構造。
【請求項４】
前記トラフ群は、少なくとも、前記保持体の外側上方に汚水を散布する汚水流出堰を設けたことを特徴とする請求項２又は請求項３の何れか１に記載の汚水浄化装置の汚水散布構造。
【請求項５】
前記汚水流出堰は、三角堰、四角堰又は円弧堰としたことを特徴とする請求項２〜請求項４の何れか１に記載の汚水浄化装置の汚水散布構造。
【請求項６】
前記ガイド手段は、直線状の三角柱状体で構成し、該三角柱状体の１辺をフレーム上に固定し、他辺の斜面により汚水をガイドするように構成したことを特徴とする請求項１〜請求項５の何れか１に記載の汚水浄化装置の汚水散布構造。
【請求項７】
前記汚水浄化部は前記浄化帯を吊り下げた吊下竿材を均等間隔に配置してフレーム上に固定し、前記ガイド手段を前記吊下竿材の両側に配置して前記フレーム上に固定したことを特徴とする請求項１〜請求項６の何れか１に記載の汚水浄化装置の汚水散布構造。
【請求項８】
前記浄化帯は網部材からなる保持体の両面に多孔性物質の柱状体を複数個並列に並べて固着して構成したことを特徴とする請求項１〜請求項７の何れか１に記載の汚水浄化装置の汚水散布構造。
【請求項９】
前記トラフへの汚水の供給は、主汚水供給管から分岐水路を経由して該トラフに汚水を供給するように構成したことを特徴とする請求項１〜請求項８の何れか１に記載の汚水浄化装置の汚水散布構造。
【発明の詳細な説明】
【技術分野】
【０００１】
本発明は産業排水、上下排水、河川水などの汚水を浄化するための浄化装置の技術分野に属する。更に具体的には、浄化帯を利用した汚水浄化装置の汚水散布構造の技術に関する。
【背景技術】
【０００２】
従来から、微生物を利用した浄化方法並びに浄化装置については多くの方法、装置が提案されてきた。近年、微生物の付着する空隙を有する多孔性の柱状体を保持体の両面に貼り付けて浄化帯を形成し、多数個の浄化帯を鉛直方向に平行に吊り下げて、その上から汚水を流下させて汚水を浄化する浄化方法並びに浄化装置が開発されている。これは、好気性微生物が空気に触れやすく活発な反応が期待できることや、空気供給のためのブロワを使用しないことからエネルギーの消費が少ないこと等の理由による。
【０００３】
浄化帯を利用した従来装置としては、例えば、特許文献１に記載されている浄化装置（以下、従来装置１という）がある。なお、この従来装置１における浄化帯は多孔質構造をもつ導水シート５７の両面に多孔性の三角柱状体５８を貼り付けたものを利用している。この装置における汚水散布構造は図８に示すように、汚水供給パイプ５２から分配パイプ５３を経由してトラフ５４に汚水を分配供給する。トラフ５４には、その両縁にスリット５５が設けられている。一方、トラフ５４の底部の両縁に浄化帯５６が設けられている。従って、従来装置１の汚水散布構造では、汚水供給パイプ５２からトラフ５４に供給された汚水はスリット５５から溢れ出て、先ず、浄化帯５６の導水シート５７に伝わり、汚水が重力によって下降するにつれて三角柱状体５８に浸透する。
【特許文献１】特許公報  第３４４３７２５号、浄化帯および浄化装置及び汚水浄化方法
【０００４】
浄化帯を利用した別の従来装置（以下、従来装置２という）としては図９に記載されている浄化装置がある。従来装置２では、函体６１の内部に浄化帯６３を吊り下げて、浄化帯６３の吊り下げ位置に合わせて蓋体６２に複数の透孔６４を形成し、かつ、これらの透孔６４に均等に汚水が集まるように蓋体６２の上面に傾斜が付与してある。更に、蓋体６２の上方からスプリンクラー６５によって汚水を供給する。浄化帯６３は蓋体６２に形成した透孔６４の直下に吊り下げられる。なお、この従来装置２における浄化帯は多孔質構造をもつ導水シート５７の両面に多孔性の三角柱状体５８を貼り付けたものを利用している。従って、透孔６４から供給された汚水の大部分は、先ず、浄化帯５６の導水シート５７に伝わり、汚水が重力によって下降するにつれて三角柱状体５８に浸透する。
【発明の開示】
【発明が解決しようとする課題】
【０００５】
以上に説明したように、従来装置１及び従来装置２における汚水散布装置では、浄化帯への汚水の供給は中心部にある導水シート上に集中するように設けられている。従って、前記した従来装置では汚水散布位置を浄化帯の直上に設けなければならいという制約があった。このため、汚水散布装置の選択が制限されるという課題があった。また、汚水の散布位置が制限されていることから、汚水を浄化帯上に均等散布する施工作業が煩雑になるという問題もあった。一方、汚水の供給範囲を広げると浄化帯と浄化帯との間に散水する汚水量が多くなり、短絡流が生じやすく、浄化効率が低下するという新たな問題が生じる。そこで、浄化帯の保持体として網部材を利用した汚水浄化装置に上記の問題が生じない汚水の散布構造を提供することを本願発明の課題とする。
【課題を解決するための手段】
【０００６】
上記課題を解決するために本発明は以下の手段を採用している。即ち、
請求項１に記載の発明は、平面状の保持体の両面に多孔性物質の柱状体を接着して構成した浄化帯の複数個を平行に配置して垂直に吊り下げ、上から見た保持体の形状が平行な直線群を形成するようにした汚水浄化部と、該汚水浄化部の上方から汚水を散布する汚水散布手段とを具備した汚水浄化装置において、前記汚水散布手段は少なくとも該浄化帯の保持体の外側上方に汚水を散布すると共に、前記保持体の外側上方に散布された汚水を前記浄化帯の上方の適宜の位置に寄せ集めるガイド手段を設けたことを特徴としている。
【０００７】
請求項２に記載の発明は、請求項１の発明において、前記汚水散布手段は、複数個のトラフを平行に配置してトラフ群を構成し、前記汚水浄化部の保持体のなす直線群の配置方向と交叉する方向に該トラフ群を配置し、該トラフの長手方向に複数個の汚水流出堰を設けたことを特徴としている。
【０００８】
請求項３記載の発明は、請求項１又は請求項２に記載の発明において、前記汚水散布手段は、前記汚水浄化部の保持体のなす直線群の配置方向と直交する方向に前記トラフ群を配置したことを特徴としている。
【０００９】
請求項４記載の発明は、請求項２〜請求項３に記載の発明において、前記トラフ群は、少なくとも、前記保持体の外側上方に汚水を散布する汚水流出堰を設けたことを特徴としている。
【００１０】
請求項５記載の発明は、請求項２〜請求項４に記載の発明において、前記汚水流出堰は、三角堰、四角堰又は円弧堰としたことを特徴としている。
【００１１】
請求項６記載の発明は、請求項１〜請求項５に記載の発明において、前記ガイド手段は、直線状の三角柱状体で構成し、該三角柱状体の１辺をフレーム上に固定し、他辺の斜面により汚水をガイドするように構成したことを特徴としている。
【００１２】
請求項７記載の発明は、請求項１〜請求項６に記載の発明において、前記汚水浄化部は前記浄化帯を吊り下げた吊下竿材を均等間隔に配置してフレーム上に固定し、前記ガイド手段を前記吊下竿材の両側に配置して前記フレーム上に固定したことを特徴としている。
【００１３】
請求項８記載の発明は、請求項１〜請求項７に記載の発明において、前記浄化帯は網部材からなる保持体の両面に多孔性物質の柱状体を複数個並列に並べて固着して構成したことを特徴としている。
【００１４】
請求項９記載の発明は、請求項１〜請求項８に記載の発明において、前記トラフへの汚水の供給は、主汚水供給管から分岐水路を経由して該トラフに汚水を供給するように構成したことを特徴としている。
【発明の効果】
【００１５】
本願発明によれば、浄化帯以外の部分への短絡流の防止が図られ、保持体以外の多孔性柱状体の上にも直接汚水を滴下する構成にしたので浄化効率が向上する。
【発明を実施するための最良の形態】
【００１６】
図１は本願の発明を実施した汚水浄化装置の正面のケースカバーを取り外した正面図で、図２の矢視Ａ−Ａから見た図を示す。図２は上辺のケースカバーを取り外した上平面図で、トラフの配置構造を示す。図３はトラフの配置構造の一部を破断して浄化帯の吊り構造との関係を示した上平面図を示す。図４は浄化帯の吊り構造とガイドとの関係を示した分解図を示す。図５はトラフに設けた汚水供給堰とガイドとの位置関係を示す詳細図である。図６は図５の矢視Ｂ−Ｂから見た正面図で汚水供給堰とガイド及び浄化帯との位置関係の説明図を示す。図７は汚水の流れの状況を示す説明図である。図８、図９は従来装置の説明図である。
【００１７】
図１に示すように、函体１１はケースカバーから構成され、函体１１の内側壁にフレーム１２が固設されており、フレーム１２には浄化帯１３を吊り下げた吊竿部材１４が複数個（図では６個）平行に配置されている。吊竿部材１４は両側の固定部材１５によって水平方向に移動できないように固定されている。なお、吊竿部材１４に吊り下げられた浄化帯１３をメンテナンスするときは、上方へ吊竿部材１４ごとに引き抜けるようになっている。更に、吊竿部材１４は両側には三角形の柱状体からなるガイド１６が配置されている。又、フレーム１２の上方には、フレーム１２と直交する方向に別のフレーム２１が函体１１の内側壁に固定されている。フレーム２１には汚水を散布するためのトラフ群２２が固定されている。また、函体１１の上辺にトラフ群２２に汚水を供給する汚水供給パイプ３１が配設されている。函体１１の底部には浄化水を排出する排出パイプ３２と外部の空気を取り入れる空気取入パイプ３３と排気ファン３４が配設されている。
【００１８】
トラフ群２２は、図２に示すように、主トラフ２３と、主トラフ２３から分岐した複数の分岐トラフ２４から構成されている。分岐トラフ２４は主トラフ２３からの汚水の供給量ができるだけ均等に行われるように主トラフ２３を挟んで両側に直交して平行に配置され、フレーム２１により水平に支持されている。又、個々の分岐トラフ２４は同一の形状で構成されている。分岐トラフ２４には、後述するように、汚水を散布、供給するための多数の汚水流出堰２５、２６が設けられている。分岐トラフ２４は、図３に示すように、吊竿部材１４の方向（浄化帯１３の吊り方向）と直交する方向に配置されている。従って、分岐トラフ２４の汚水流出堰を適宜の位置に設けることにより、汚水を浄化帯１３の横方向に対して任意の位置に汚水を滴下することができる構成になっている。
【００１９】
図４は浄化帯１３，吊竿部材１４及びガイド１６の関係を示した斜視図である。図４に示すように、吊竿部材１４はフレーム１２に載置され、フレーム１２の上面に設けられた固定ブロック１５に挟まれて位置が固定されている。又、吊竿部材１４の両側には三角形の柱状体からなるガイド１６が配置されている。ここで、浄化帯１３は保持体として網部材１３ａを利用し、網部材１３ａの両面に多孔性の三角柱状体１３ｂを貼着した構成であり、網部材１３ａの上縁部を利用して吊竿部材１４に係止する係止部が設けられている。なお、実施例として、例えば、吊竿部材１４は直径２ｃｍ程度のパイプを使用し、２本の吊竿部材１４，１４の間隔として５ｃｍ程度としている。
【００２０】
図５は分岐トラフ２４に設けた汚水流出堰２５，２６とガイド１６との位置関係の一例を示す詳細図である。図６は図５の矢視Ｂ−Ｂから見た正面図で汚水供給堰２５、２６とガイド１６及び浄化帯１３との位置関係の一例の説明図を示す。図５，図６に示すように、分岐トラフ２４の左側縁には吊竿部材１４の真上に三角堰２５が設けられ、右側縁にはガイド１６の中央真上に三角堰２６が設けられている。三角堰２５及び三角堰２６から流出した汚水の流れ状況を図７（Ａ）、（Ｂ）に示す。図７(Ａ)において、三角堰２５から溢れ出た汚水は吊竿部材１４の上に落ち、吊竿部材１４の回りを廻り込んで網部材１３ａに接触しながら下方に落ちて行く。一方、図７（Ｂ）の場合は、三角堰２６から溢れ出た汚水はガイド１６の上に落ち、この大部分の汚水はガイド１６に伝わって下降し、直接に三角柱状体１３ｂの上に落ちる。
【００２１】
そして、図５で示すように、トラフ２４の長手方向に対して、トラフ２４の流出堰２５と流出堰２６が交互に配置されている。従って、図７（Ａ）と図７（Ｂ）の状態が交互に生じる。従って、浄化帯１３に汚水が確実に散布されることとなる。ガイド１６を吊竿部材１４の両側に設けたので、吊竿部材１４，１４間の距離を広げても流出堰２６から供給される汚水は浄化帯１３の上に滴下されるので、浄化帯１３，１３間の距離を適度に広く取ることができ、酸素供給性能を維持して有機物の好気性微生物による浄化性能を確保することができるという効果が得られる。また、浄化帯１３，１３間の距離を広くした場合にも短絡流の防止を確実にすることができると言う効果も得られる。更に、トラフ２４の流出堰２５、流出堰２６の位置に大きな偏りが無ければ均等な汚水散布が行われるので、施工作業が容易になるという効果も得られる。更に、汚水散水手段として上記したトラフ群の代わりにスプリンクラーを使用して汚水散布範囲が広がった場合でも、ガイド１６の効果により短絡流を防止できる。
【００２２】
以上、この発明の実施形態、実施例を図面により詳述してきたが、具体的な構成はこの実施例に限られるものではなく、この発明の要旨を逸脱しない範囲の設計の変更等があってもこの発明に含まれる。例えば、汚水散布手段はトラフ群の代わりにスプリンクラーを使用してもよい。
【図面の簡単な説明】
【００２３】
【図１】本発明を実施した実施形態の正面図を示す。
【図２】トラフの配置構造を示す。
【図３】トラフの配置構造と浄化帯の吊下構造との関係を示す。
【図４】浄化帯の吊り構造とガイドとの関係を示す。
【図５】汚水供給堰とガイドとの位置関係を示す詳細図である。
【図６】汚水供給堰とガイド及び浄化帯との位置関係を示す。
【図７】（Ａ）、（Ｂ）汚水の流れの状況を示す説明図である。
【図８】従来装置１の説明図である。
【図９】従来装置２の説明図である。
【符号の説明】
【００２４】
１１      浄化装置の函体
１２      フレーム
１３      浄化帯
１３ａ    保持部材
１３ｂ    多孔性柱状体
１４      吊竿部材
１５      固定ブロック
１６      ガイド
２１      フレーム
２２      トラフ群
２３      主トラフ
２４      分岐トラフ  
２５、２６  汚水流出堰
３１        汚水供給パイプ  
【図１】
2009274042.tif 000003
【図２】
2009274042.tif 000004
【図３】
2009274042.tif 000005
【図４】
2009274042.tif 000006
【図５】
2009274042.tif 000007
【図６】
2009274042.tif 000008
【図７】
2009274042.tif 000009
【図８】
2009274042.tif 000010
【図９】
2009274042.tif 000011